(57)【要約】      （修正有）【課題】切れにくく、良い伸縮性を備える芯を有しない弾性組紐バンドを提供する。【解決手段】伸縮性を有しながら芯を有しないチューブ状組紐バンドであり、中心部２１は、その長さに沿って同じ中空状を維持し、外周縁は、その長さに沿って、複数の突起結び目２３を複数の中間部２２までに配置し、突起結び目は、軸方向の引張力に従い、その直径Ｄ２を変化し、軸方向引張力が解除された後に、元来の突き出し直径と形状に戻る。これにより、目的物のとおり穴に通して結びとほぐし操作が便利にできる。【選択図】図２
0003201813.tif 000002
【実用新案登録請求の範囲】
【請求項１】
伸縮性を有する芯を有しないチューブ状紐からなる、芯を有しない弾性組紐バンドであって、
前記弾性組紐バンドの中心部は、その長さに沿って同じ中空状を維持し、かつ、前記弾性組紐バンドの外周縁は、その長さに沿って複数の突起結び目を複数の中間部までに配置し、前記突起結び目は伸縮激しい部分であり、前記突起結び目の突き出し直径は穿設される目的物のとおり穴の穴径より大きく、かつ、軸方向の引張力に従って、突き出し直径が変化し、前記突起結び目が堪えられる軸方向作用力の最小直径は穿設される前記目的物の前記とおり穴の穴径より小さく、かつ軸方向引張力を解除した後に、元来の突き出し直径と形状に回復される。この構造によれば、係る目的物の位置を制限し結びとほぐし操作に便利である。
【請求項２】
前記突起結び目と、前記中間部との配置について、前記弾性組紐バンドにて間隔置きに隣接して繰り返し配置することを特徴とする、請求項１記載の芯を有しない弾性組紐バンド。
【請求項３】
前記中間部は伸縮が激しくない部分であり、前記中間部の基本の直径は軸方向作用力を受けない状態において、穿設される前記目的物の前記とおり穴の穴径を自由に通せることを特徴とする、請求項１記載の芯を有しない弾性組紐バンド。
【請求項４】
前記弾性組紐バンドの各段は編み密度に基づき分布し、前記突起結び目の編み密度を前記中間部の編み密度より高く設けて、突き出し直径の突き出し部を形成することを特徴とする、請求項１記載の芯を有しない弾性組紐バンド。
【請求項５】
前記突起結び目の形状は対称型であることを特徴とする、請求項１記載の芯を有しない弾性組紐バンド。
【請求項６】
前記突起結び目の形状は非対称型であることを特徴とする、請求項１記載の芯を有しない弾性組紐バンド。
【請求項７】
前記突起結び目は混合型に配列して配置され、２つ以上の異なる突き出し形状から組み合わせる前記突起結び目を含むことを特徴とする、請求項１記載の芯を有しない弾性組紐バンド。
【請求項８】
前記突起結び目の編み長さは、軸方向作用力を受けると、伸縮の激しい部分が外部に伸長する長さは、必要に応じて最大は元来の編み長さの３〜５倍に達することができることを特徴とする、請求項１記載の芯を有しない弾性組紐バンド。
【請求項９】
前記弾性組紐バンドは、伸縮性部材の芯を有しない前記弾性紐バンドより構成され、部材は天然ゴム、合成ゴム、ポリテトラメチレンエーテルグリコール（ＰＴＭＥＧ）混編みまたは織物繊維から選択することを特徴とする、請求項１記載の芯を有しない弾性組紐バンド。
【請求項１０】
前記弾性組紐バンドは伸縮性部材と、非伸縮性部材で混合または交織することを特徴とする、請求項１記載の芯を有しない弾性組紐バンド。
【考案の詳細な説明】
【技術分野】
【０００１】
本考案は一種の芯を有しない弾性組紐バンドに関し、特に靴、衣類、帽子、バッグ及びベルト等の常に結びまたは緩む操作の物品を含む、とおり穴に穿設し、位置固定及び結びとほぐし操作が可能な弾性組紐バンドに関する。弾性組紐バンドの突起結び目を穿設及び係合させ、目的物のとおり穴位置を固定して結びとほぐし操作ができる。
【背景技術】
【０００２】
我々の日常生活において、一部の目的物例えば、靴、衣類、帽子、バッグ及びベルト等は、紐バンドで結ぶまたは緩む操作を利用する場合がある。この種の方法は、すでに一般的に使用しており、さらに、これらの目的物は通常に開口部または紐通し穴などのとおり穴を有しており、紐バンドを穿設した後、最後に係る紐バンド両端に結び目を作って、固定と閉合操作の目的を達成する。しかし、結び目を付ける方式は、結び目を付けるまたは解す操作に少し不便を感じるため、いわゆる弾性組紐バンドが考案されている。その関連技術は特許文献１（同じ案件特許文献２）、特許文献３（同じ案件特許文献４）等が参考できる。
【０００３】
特許文献１において、係る弾性組紐バンドの構造は弾性組紐バンド芯と、係る弾性組紐バンド芯を巡らす柔軟性ジャケットとを含む、係る弾性組紐バンドに複数の錐状突き出し部を設けられ、例えばこの種の構造を靴の紐通し穴通しに使用されている。現在の技術において、係る柔軟性紐バンドの輪は弾性部材より仕上げられたものでないため、伸縮力は限られており、直接に係る弾性組紐バンド芯が外部に伸ばす範囲を制限してしまい、さらに、係る弾性組紐バンドの芯自体は、激しい伸縮と、ほとんど伸縮しない部分を有しているため、その末端区域に大きい変形を溜まってしまうことから、係る弾性組紐バンドに切れやすい問題が残る。
【０００４】
特許文献３において、係る弾性組紐バンド１の構造（図１に示す）は、伸縮部材からなるチューブ状紐１２の本体と、非伸縮部材からなる芯紐１１とを含む、チューブ状紐１２は複数の結び目１２１を有し、係る結び目１２１が芯紐１１に対応する場所に巻きつけ部１１１を設けられ、巻きつけ部１１１を収容するために、結び目１２１の裏面も合わせて凹み空間１２２を設ける。この種の構造を靴の紐通し穴の結びつけに適用した場合、芯紐１１巻きつけ部１１１が付き出して圧迫するため、係るチューブ状紐１２の結び目１２１の伸縮可能範囲を制限してしまい、結び目１２１の伸縮空間が少なくなり、よって、結び目１２１と足裏の舟状骨、くさび状骨、中足指節関節と接触したときに、圧迫による不快感が残る。
【０００５】
前述とおり、現時点の技術で既知の弾性組紐バンド（または弾性組紐）とも芯紐（または紐芯、芯という。）を有し、係る芯紐によって係る弾性組紐バンドが外部に伸長する範囲を制限してしまい、さらに、生産プロセスにおいて、弾性組紐バンドの編み方式は、一定比例の仕送り速度で編むため伸縮性を完全に発揮できないことから、弾性組紐バンドの用途も制限される。
【先行技術文献】
【特許文献】
【０００６】
【特許文献１】米国特許第２０１３／０２５５０４５号明細書
【特許文献２】中華人民共和国特許第１０４４８６９６１号明細書
【特許文献３】特許第５０７９９２６号明細書
【特許文献４】中華民国特許第４９１７８１号明細書
【考案の概要】
【考案が解決しようとする課題】
【０００７】
本考案の目的は、一種の切れにくい、かつより良い伸縮性を備え、芯を有しない弾性組紐バンドを提供し、係る弾性組紐バンドの突起結び目を穿設及び係合することによって、目的物のとおり穴の位置を制限し結びとほぐし操作が便利に行える。
【課題を解決するための手段】
【０００８】
上述の目的を達成するため、本考案の芯を有しない弾性組紐バンドの弾性組紐バンドは、伸縮性を有し、芯を有しないチューブ状紐バンドである。そのうち、弾性組紐バンドの中心部は、その長さに沿って同じ中空状を維持し、かつ、係る弾性組紐バンドの外周縁は、その長さに沿って複数の突起結び目を複数の中間部までに配置し、突起結び目は伸縮激しい部分であり、突起結び目の突き出し直径は穿設される目的物のとおり穴の穴径より大きく、かつ、軸方向の引張力に従って、突き出し直径が変化し、突起結び目が堪えられる軸方向作用力の最小直径は穿設される目的物のとおり穴の穴径より小さく、かつ軸方向引張力を解除した後に、元来の突き出し直径と形状に回復される。この構造によれば、係る目的物の位置を制限し結びとほぐし操作に便利である。
【０００９】
前述突起結び目と中間部の配置方式は、係る弾性組紐バンドにおいて、間隔置きに隣接して繰り返し配置される。
【００１０】
前述中間部は伸縮が激しくない部分であり、係る中間部の基本の直径は、軸方向作用力を受けない状態において、穿設される目的物のとおり穴の穴径を自在に通過できる。
【００１１】
前述弾性組紐バンドの各段は、編み密度に基づき分布し、突起結び目の編み密度を中間部の編み密度より高く設けて、突き出し直径の突き出し部を形成する。
【００１２】
前述突起結び目の形状は、対称型である。
【００１３】
前述突起結び目の形状は、非対称型である。
【００１４】
前述突起結び目は、混合型配列に配置され、２つ以上の異なる付き出し形状によって、組み合わせる突起結び目を含む。
【００１５】
前述突起結び目の編み長さは、軸方向作用力を受けると、伸縮の激しい部分が外部に伸長する長さは、必要に応じて最大は元来の編み長さの３〜５倍に達するができる。
【００１６】
前述弾性組紐バンドは、伸縮性部材より構成され、部材は天然ゴム、合成ゴム、ポリテトラメチレンエーテルグリコール（ＰＴＭＥＧ）混編みまたは織物繊維から選択する。
【００１７】
前述弾性組紐バンドは、伸縮性部材と非伸縮性部材で混合または交織する。
【考案の効果】
【００１８】
本考案の芯を有しない弾性組紐バンドは、伸縮性の芯なしチューブ状の組紐を利用し、係る弾性組紐バンドの突起結び目を穿設及び係合することによって、目的物のとおり穴に位置制限し結びとほぐし操作が行える。さらに、優れる伸縮率を有するため、軸方向引張力をむらなく均一に分散する働きを有するため、切れにくく、公知技術の欠点を有効に解決できる。
【図面の簡単な説明】
【００１９】
【図１】公知技術の断面図である。
【図２】本考案の断面図である。
【図３】本考案の図２のＩ−Ｉの断面図である。
【図４】本考案が力を受けて、伸長する外観を示す図である。
【図５】本考案が力を受けて、伸長する断面図である。
【図６】本考案の一実施例による立体図である。
【図７】本考案のもう一つの実施例の断面図（一）である。
【図８】本考案のもう一つの実施例の断面図（二）である。
【図９】本考案のもう一つの実施例の断面図（三）である。
【図１０】本考案のもう一つの実施例の断面を示す図（四）である。
【図１１】本考案の曲線関係図（一）である。
【図１２】本考案の曲線関係図（二）である。
【図１３】本考案の曲線関係図（三）である。
【考案を実施するための形態】
【００２０】
図２ないし図６を参照する。本考案の弾性組紐バンド２は伸縮性を有した芯を有しないチューブ状紐バンドである。そのうち、係る弾性組紐バンド２の中心部２１はその長さに沿って同じ中空状を維持し、弾性組紐バンド２の外周縁はその長さに沿って間隔に複数の突起結び目２３を複数の中間部２２までに配置し、係る突起結び目２３は伸縮の激しい部分であり、突起結び目２３の突き出し直径Ｄ２は穿設される目的物３のとおり穴３１穴径Ｄ３より大きく、軸方向引張力に従って突き出し直径Ｄ２の直径を変化し、突起結び目２３が堪えられる軸方向作用力の最小直径Ｄ４は穿設される目的物３のとおり穴３１の穴径Ｄ３より小さい、軸方向引張力が解除された後は、元来の突き出し直径Ｄ２と形状に戻せる。係る中間部２２は伸縮が激しくない部分であり、中間部２２の基本の直径Ｄ１は軸方向作用力を受けないときは、穿設される目的物３のとおり穴３１の穴径Ｄ３を自由に通せる。この構造によれば、目的物３の位置を制限し結びとほぐし操作ができる。
【００２１】
本考案の突起結び目２３と中間部２２の配置は、弾性組紐バンド２に間隔置きに繰り返し配置し、かつ加える軸方向引張力に合わせて、突起結び目２３の突き出し直径Ｄ２が変化される。
【００２２】
本考案の弾性組紐バンド２の突起結び目２３は、弾性組紐バンド２が軸方向引張力の作用を受けない状態において、中間部２２の基本の直径Ｄ１に比べて、比較的に大きい突き出し直径Ｄ２の部分を言う。弾性組紐バンド２の編み方式は比例を一定しない仕送り速度によって編む、突起結び目２３上のいずれかの点の編み密度とも異なる分布しており、すなわち、それぞれの編み密度比例により、各突起結び目２３の伸縮率を制御することによって、突起結び目２３が中間部２２より高い編み密度を有し、突き出し直径Ｄ２の突き出し部と形状を形成し、かつ突起結び目２３の形状はいずれかの付き出し形状で有っても良い。
【００２３】
該突起結び目２３は、その形状により対称型、非対称型と混合型の形状に分けられる。そのうち、対称型の形状は角形の突起結び目２３Ａである（図７に示す）。円弧形の突起結び目２３Ｂ（図８に示す）の伸縮率が高いほどの部分の編み密度は高いことは、図１１に示す曲線関係から分かる。突起結び目２３の最大の付き出し大値部分は、すなわち、突き出し直径Ｄ２の部分である。その両側には均一分布を形成し、突起結び目２３に対応する形状も同じく釣り合い分布を形成する。
非対称型の形状は例えば、円弧形の突起結び目２３Ｂ（図８に示す）は、図１２に示す曲線関係から分かる。突起結び目２３の最大値部分は、中間位置ではなく、突き出し直径Ｄ２の部分にある。その両側には均一に釣り合って分布するのではない。
【００２４】
混合型の形状は、弾性組紐バンド２に配列するように配置し、２つ以上の異なる付き出し形状から組み合わせる突起結び目２３Ｃ、２３Ｄ、２３Ｅ、２３Ｆ（図９、１０に示す）を含む。これらの突起結び目２３、２３Ａ、２３Ｂ、２３Ｃ、２３Ｄ、２３Ｆには共通な特色を有し、つまり、突き出し直径Ｄ２が目的物３のとおり穴３１の穴径Ｄ３より大きい。これにより、突起結び目２３Ｃ、２３Ｄ、２３Ｅ、２３Ｆがとおり穴３１に対して制限し係合及び締結を形成する。係合及び締結関係の解除操作するときは、弾性組紐バンド２の一端または両端を外部に引っ張り、突起結び目２３、２３Ａ、２３Ｂ、２３Ｃ、２３Ｄ、２３Ｆが軸方向に沿って変形させ、最小直径Ｄ４が目的物３のとおり穴３１の穴径Ｄ３より小さくなったときに、突起結び目２３、２３Ａ、２３Ｂ、２３Ｃ、２３Ｄ、２３Ｆは自由にとおり穴３１を通せる。これにより、位置制限及び結びとほぐし操作は便利に行える。さらに、軸方向引張力を解除した後、突起結び目２３、２３Ａ、２３Ｂ、２３Ｃ、２３Ｄ、２３Ｆは元来の突き出し直径Ｄ２と形状に戻される。図１０を例として、突起結び目２３Ｆにそれぞれ大と小の突き出し部を有し、これを図１３の曲線関係に参照すると、係る突起結び目もそれぞれ第１最大突き出し値と、第２最大突き出し値の関係を形成する。
【００２５】
これに対して、中間部２２の編み長さＬ１（図２を参照する）が軸方向作用力を受けたとき、伸縮が激しくない部分の突起結び目２３の編み長さＬ２が軸方向作用力を受けたとき、伸縮の激しい部分が外部に伸長可能な長さは、使用の需要により、最大は元来の編み長さＬ２の３〜５倍に達する。
【００２６】
本考案の弾性組紐バンド２は、芯を有しないチューブ状紐であり、伸縮性部材より構成される。部材は天然ゴム、合成ゴム、ポリテトラメチレンエーテルグリコール，ＰＴＭＥＧ混編みまたは織物繊維から選択する（ナイロン繊維、ポリエステル繊維等を含む）から選択する。弾性組紐バンド２は芯を有しないチューブ状紐に編むことができ、係る弾性組紐バンド２は例えば交織方式により、伸縮性部材と、非伸縮性部材を用いて、一定または一定しない混合あるいは比例により、交織方式によって弾性組紐バンド２を編むことができる。
【００２７】
本考案の弾性組紐バンド２は、芯を有しないチューブ状紐バンドである。そのうち、中心部２１はその長さに沿って同じ中空状が維持されている。このやり方は一つの長所がある。弾性組紐バンド２が力を受けていない状帯において、弾性組紐バンド２自体の弾性支持特性によって、弾性組紐バンド２の外形は変化されない。突起結び目２３の裏面２３１と中空状の中心部２１との間に、充分な収納と伸縮空間があるため、本考案の突起結び目２３を各種の形状に編むことができる。これにより、公知技術が紐芯の形状に制限受ける問題は解決される。さらに、本考案を靴の紐通し穴の穿設に適用した場合は、公知技術の紐芯の制限はなく、かつ係る突起結び目２３はより伸縮性を有しているため、足裏の舟状骨、くさび状骨、中足指節関節付近部に圧迫されず、快適な履き感が得られる。
【００２８】
総合すると、本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２９】
１            弾性紐
１１            芯紐
１１１            巻きつけ部
１２            チューブ状紐
１２１            結び目
１２２            凹み空間
２            弾性組紐バンド
２１            中心部
２２            中間部
２３、２３Ａ、２３Ｂ、２３Ｃ、２３Ｄ、２３Ｅ、２３Ｆ  突起結び目
２３１            裏面
３            目的物
３１            とおり穴
Ｄ１            基本の直径
Ｄ２            突き出し直径
Ｄ３            穴径
Ｄ４            最小直径
Ｌ１、Ｌ２        編み長さ
【図１】
0003201813.tif 000003
【図２】
0003201813.tif 000004
【図３】
0003201813.tif 000005
【図４】
0003201813.tif 000006
【図５】
0003201813.tif 000007
【図６】
0003201813.tif 000008
【図７】
0003201813.tif 000009
【図８】
0003201813.tif 000010
【図９】
0003201813.tif 000011
【図１０】
0003201813.tif 000012
【図１１】
0003201813.tif 000013
【図１２】
0003201813.tif 000014
【図１３】
0003201813.tif 000015
【手続補正書】
【提出日】平成27年10月26日(2015.10.26)
【手続補正１】
【補正対象書類名】実用新案登録請求の範囲
【補正対象項目名】請求項１
【補正方法】変更
【補正の内容】
【請求項１】
伸縮性を有する芯を有しないチューブ状紐からなる、芯を有しない弾性組紐バンドであって、
前記弾性組紐バンドの中心部は、その長さに沿って同じ中空状を維持し、かつ、前記弾性組紐バンドの外周縁は、その長さに沿って複数の突起結び目を複数の中間部までに配置し、前記突起結び目は伸縮激しい部分であり、前記突起結び目の突き出し直径は穿設される目的物のとおり穴の穴径より大きく、かつ、軸方向の引張力に従って、突き出し直径が変化し、前記突起結び目が堪えられる軸方向作用力の最小直径は穿設される前記目的物の前記とおり穴の穴径より小さく、かつ軸方向引張力を解除した後に、元来の突き出し直径と形状に回復されることを特徴とする、芯を有しない弾性組紐バンド。